(57)【要約】【目的】携帯電話等にアクセサリー性や趣味性などを向上する目的で取付けるストラップに関して、店舗での物品やデータ等の販売やインターネットを利用したアクセスに付随して追加的サービスを受ける権利を保障するための識別情報を表示して物品等の販売やインターネットを利用したサービス提供の活性化を図る新規製品を提案する。【構成】携帯電話２等に取付けて使用するストラップ１であって、該ストラップ１の所定箇所に可読的及び／又は非可読的な形式で識別情報３を記載し、該識別情報３を所定内容の追加的サービスをストラップ１の所持者に与えるべきか否かを判断する照合データ３として利用する。【選択図】          図１
2005000520.tif 000002
【特許請求の範囲】
【請求項１】
携帯電話等に取付けて使用するストラップであって、該ストラップの所定箇所に可読的及び／又は非可読的な形式で識別情報を記載し、該識別情報を所定内容の追加的サービスをストラップの所持者に与えるべきか否かを判断する照合データとして利用するものとしたことを特徴とする追加サービスを享受する権利に関する情報を表示した携帯電話等用ストラップ。
【請求項２】
ストラップが各種マスコットキャラクターの立体形状を利用したものであり、該マスコットキャラクターの表面所定箇所に識別情報を記載したものであることを特徴とする請求項１に記載の追加サービスを享受する権利に関する情報を表示した携帯電話等用ストラップ。
【請求項３】
識別情報を記載する可読的な形式としてコンピュータや携帯電話等のキーボードにより入力できる文字、数字、記号を利用することを特徴とする請求項１又は請求項２に記載の追加サービスを享受する権利に関する情報を表示した携帯電話等用ストラップ。
【請求項４】
識別情報を記載する非可読的な形式として専用のリーダー装置によって読み取り可能なバーコード情報又は磁気情報を利用することを特徴とする請求項１又は請求項２に記載の追加サービスを享受する権利に関する情報を表示した携帯電話等用ストラップ。
【発明の詳細な説明】
【０００１】
【発明の属する技術分野】
本発明は、携帯電話等にアクセサリー性や趣味性などを向上する目的で取付けるストラップに関して、店舗での物品やデータ等の販売やインターネットを利用したアクセスに付随して追加的サービスを受ける権利を保障するための識別情報を表示して物品等の販売やインターネットを利用したサービス提供の活性化を図る新規製品を提案するものである。
【０００２】
【従来の技術】
携帯電話等にアクセサリー性などを高める目的で色々な形状を利用したストラップを取付けることは広く普及しているところであり、可動性を与えたりシリーズ物のキャラクター形状を採用するなどして需要者の趣味性やコレクション性に訴える商品展開が行われている。
【０００３】
また、急速に発達しているコンピュータ関連技術やインターネット技術を用いて特定の商品を購入した者に各種特典やサービスを与えるための様々な手法によるサービスシステムが実現されている。
【０００４】
【発明が解決しようとする課題】
しかし、上記したような従来の技術では、携帯電話等用のストラップはアクセサリー性や趣味性の向上のために取付けられているに過ぎず、それ以上の追加サービスの享受、特にインターネットなどを利用したデータ授受機器ともなり得る携帯電話等を利用したサービス享受のために役立たされるようなことはなされていない。
【０００５】
すなわち、近時、携帯電話等はインターネット接続能力を備え情報通信端末機器化しており、常に身につけて持ち歩く物品となっていて、ストラップはこのような携帯電話等の必須的付属品となっているが、このような状況の利点に着目した新規な提案はなされていないのである。
【０００６】
つまり、物品売買に付随して専用のデータダウンロード装置を利用したり、インターネットなどの各種ネットワークを経由して音楽データや画像データのダウンロード権を与えるサービスなどが実現されているが、このために利用する識別データなどは紙やカードに記載した状態で手渡されるに過ぎないものが多く、携帯電話等を利用してダウンロードすることが容易であるにもかかわらず入手した識別データを簡便に利用するのが面倒になっている。
【０００７】
また、現実店舗による物品売買などに関しては会員券やポイントカードを発行して割引や各種特典・サービスを付与し販売促進を図ることが行われているが、このような各種サービスを享受できる権利を保障する手段としては上記のように会員券やポイントカードの現実の所持を条件とせざるを得ず、これを持ち忘れたり紛失することで折角のサービス特典を享受できないことが多い。携帯電話等は財布同様あるいはそれ以上に常に持ち歩き携帯所持される物品になっており、ストラップもこの携帯電話等に必須の付属品となっているが、このことを利用してサービス特典の付与に役立てる提案はなされていない。
【０００８】
【課題を解決するための手段】
本発明は、上記したような従来技術における課題を解消することについて、実験と検討を繰り返し行い創案されたものであって、携帯電話等に必須的に付属されているストラップを利用してインターネットを利用した各種データのダウンロードや現実店舗における追加的サービス提供を確実に享受するための権利を保障する識別情報を表示せしめて照合処理用に用い、これによって具体的サービス提供の役に立つ物品として利用することを提案するものであって具体的には以下のとおりである。
【０００９】
（１）  携帯電話等に取付けて使用するストラップであって、該ストラップの所定箇所に可読的及び／又は非可読的な形式で識別情報を記載し、該識別情報を所定内容の追加的サービスをストラップの所持者に与えるべきか否かを判断する照合データとして利用するものとしたことを特徴とする追加サービスを享受する権利に関する情報を表示した携帯電話等用ストラップ。
【００１０】
（２）  ストラップが各種マスコットキャラクターの立体形状を利用したものであり、該マスコットキャラクターの表面所定箇所に識別情報を記載したものであることを特徴とする前記（１）項に記載の追加サービスを享受する権利に関する情報を表示した携帯電話等用ストラップ。
【００１１】
（３）  識別情報を記載する可読的な形式としてコンピュータや携帯電話等のキーボードにより入力できる文字、数字、記号を利用することを特徴とする前記（１）項又は（２）項に記載の追加サービスを享受する権利に関する情報を表示した携帯電話等用ストラップ。
【００１２】
（４）  識別情報を記載する非可読的な形式として専用のリーダー装置によって読み取り可能なバーコード情報又は磁気情報を利用することを特徴とする前記（１）項又は（２）項に記載の追加サービスを享受する権利に関する情報を表示した携帯電話等用ストラップ。
【００１３】
【作用】
携帯電話等に取付けて使用するストラップであって、該ストラップの所定箇所に可読的及び／又は非可読的な形式で識別情報を記載し、該識別情報を所定内容の追加的サービスをストラップの所持者に与えるべきか否かを判断する照合データとして利用することで、日常的に持ち歩く携帯電話等に必然的に取付けられている本発明ストラップに表示された識別情報を照合データとして携帯電話等自体を利用する場合はもちろん、別の専用端末装置を利用した追加的サービスを簡便且つ間違いなくストラップの所持者に提供することができるようになる。
【００１４】
つまり、本発明のストラップを購入して自己の携帯電話等に取付けて購入者が日常的に身に着けておくことが実現されるので、携帯電話等自体のネットワーク接続機能を利用して追加的サービスとなる各種データのダウンロードを行わせる場合にも、現実店舗などに設置された専用装置によって追加的サービスを提供する場合にも、ストラップに表示された識別情報を照合データとして利用することで簡単且つ確実に本発明ストラップ購入者に追加サービスを享受する権利行使を認めることができるようになるものである。
【００１５】
ストラップが各種マスコットキャラクターの立体形状を利用したものであり、該マスコットキャラクターの表面所定箇所に識別情報を記載したものとすることで、ストラップ購入者は自己の美感や趣味性、コレクション性に照らして相応しい形状・デザインの商品を選択して本発明による利点を享受できるようになる。
【００１６】
識別情報を記載する可読的な形式としてコンピュータや携帯電話等のキーボードにより入力できる文字、数字、記号を利用することで、インターネット等を利用してオンラインでサービス提供を受けようとする場合でも、コンピュータや携帯電話のキーボードを利用して照合処理に必要な識別情報を入力することができる。
【００１７】
識別情報を記載する非可読的な形式として専用のリーダー装置によって読み取り可能なバーコード情報又は磁気情報を利用することで、本発明を利用したサービスや特典を享受するに必要な照合処理用の識別情報を専用のバーコードリーダーや磁気情報リーダーによって簡単且つ素早く読み取って利用することができるようになる。
【００１８】
【発明の実施の形態】
上記した本発明の具体的な実施態様の若干例を添付図面に示すところを利用して説明すると以下のとおりである。
すなわち、図１は、本発明による携帯電話用ストラップ１を実際に携帯電話２の所定箇所に取付けた状態の１例を示している。図示のものは、コンヴィニエンスストアー等で広く販売されている手巻きおにぎりの形状をマスコットキャラクター的に採用して携帯電話用ストラップ１としたものであり、この外観自体は従来一般のキャラクター形状を利用したストラップの場合と大きな違いはない。
【００１９】
本発明の技術的特質とされるのは、このような携帯電話用ストラップ１の適宜な所定箇所にこの携帯電話用ストラップ１の正当な所有者に与えるべきサービスや特典を識別・特定するための識別情報３を表記せしめたことにある。
【００２０】
図２は、このような識別情報３を手巻きおにぎり形状の携帯電話用ストラップ１の所定箇所に表示している状態を拡大図的に示したものである。この識別情報３の形式としては、文字や数字、記号のように人間が肉眼で読み取ることのできるものや、バーコード情報３ｂや磁気データ３ｃのように専用の読み取り装置を用いなければ判別できないものを採用してもよい。
【００２１】
図示の場合には、可読的な文字情報３ａと非可読的なバーコード情報３ｂとの両者を識別情報３として併用する場合を表現している。ここで、識別情報３の形式としてどちらを選択するかは、本発明の携帯電話用ストラップ１の所有者にどのような形態でサービスや特典を与えるかによって適宜に決定されるべきであり、磁気データ３ｃを採用しても勿論構わない。以下においては、識別情報３の形式に応じた適宜なサービスや特典の付与形態についてその代表的な例を用いて説明する。
【００２２】
（ａ）「識別情報として可読的形式の文字情報等を採用する場合」：
この場合のサービスや特典の付与形態としては、本発明の携帯電話用ストラップ１を購入した者がインターネット接続機能を有する携帯電話２に該ストラップ１を取り付け、該携帯電話２を利用してインターネット上の特定サイトにアクセスし、そこの所定箇所に携帯電話２の入力キー４を利用して文字情報等として構成された識別情報３を入力して照合処理を受け、その上で享受可能なサービスや特典を受けるというシステムが考えられる。
【００２３】
特定の商品の購入者に独自の識別情報等を与え、インターネット経由でそれによる照合処理を経させた上で付加的なサービスや特典を与えることは既に広く行なわれているが、この場合に用いる識別情報等は商品パッケージの一部や商品保証書の一部などに記載されているに過ぎない場合が殆どで、これを失くさないように保管しておいたり、控えを作成しておかなければ利用し難く、また、これらのものは適宜な場所に固定的に保管しておくのが通常となるので、常に携帯して何処ででも自由に使用できるものでもない。
【００２４】
しかし、インターネット経由で各種サービスや特典をダウンロードさせて特定商品等の購入者に与える場合、インターネット接続機能を有する携帯電話２は、そのままサービスや特典を入手するための購入者の端末機器となるものであり、装飾的目的で携帯電話２に取付けられる本願発明品であるストラップ１は、常にこの端末機器としての携帯電話２と共に存在するものとなっている。したがって、このようなストラップ１を購入したことに基づいて享受できる各種サービスや特典を、正当な購入者に付与するために利用する識別情報３がストラップ１自体に表示せしめられることは、インターネットに接続可能な携帯電話２を利用して該識別情報３を入力する際に該情報を記したメモなどを探さなければならない面倒を解消するものとなっている。
【００２５】
また、現在では非常に多くの人々が常に携帯電話２を身に着けて持ち歩くようになっており、通常のコンピュータを利用する際にも傍らに携帯電話２を利用できるようにしているのが一般的である。したがって、通常のコンピュータを利用してインターネットに接続して本発明のストラップ１の購入に起因したサービスや特典の享受をしようとする場合に識別情報３を利用する場合であっても、本発明のストラップ１を取付けた携帯電話２が常に身近にあるという状況は利便性のあるものとなっている。
【００２６】
ところで、上記の場合に可読形式の識別情報３を構成するものとして用いる文字情報等３ａとしては、その利便性を考慮すれあば、当然に携帯電話２の入力キー４や通常のコンピュータのキーボードによって入力できるアルファベットや数字、記号等の組合わせを採用すべきである。
【００２７】
本発明のストラップ１の購入者に付与すべき追加的サービスや特典の具体例としては、（１）インターネット経由でダウンロードできる携帯電話等用の着信メロディデータ、（２）インターネット経由でダウンロードできる関連キャラクター等の画像データ、（３）関連新製品等についての情報データ、（４）関連商品等のキャンペーン情報や割引クーポン情報など、が考えられる。
【００２８】
このような各種サービスや特典については、ストラップ１に記載された識別情報３の内容にしたがって、その有効期限に制限を加えたり、割引率や割引対象商品の種類や利用回数に制限を設けるなど、適宜なシステム構築が可能である。
【００２９】
また、対価性の高いサービスや特典については、本発明のストラップ１を販売する際に予め適当な金額を組み入れた上で販売価格を決め、各種サービス・特典の享受権付きストラップとして販売することが可能である。例えば、最新の携帯電話用着信メロディ１０曲分のダウンロード権をその識別情報３によって保証し、その対価をストラップ１の値段に上乗せして販売するような形態が実現可能である。
【００３０】
さらに、この場合に本発明ストラップ１の購入者が確実にサービスや特典を受け得るようにするために、ストラップ１の購入後初めて識別情報３を利用してサービス等を提供する特定サイトにアクセスした際に、利用者独自の暗証データ等を登録せしめて、以降のサービス等提供を受ける場合にこれをも併せて要求するシステムを構築すれば、何らかの手段で不正に識別情報を入手した者による不正使用を的確に防止することが可能である。
【００３１】
（ｂ）「識別情報として非可読的形式の情報を利用する場合」：
識別情報３として利用する非可読的形式の情報としては、前記してきたようにバーコード情報３ｂや磁気データ３ｃなどが考えられるが、専用の読み取り装置によって高精度の読み取りが可能であればどのようなものを採用しても構わない。ただし、このような非可読的形式の識別情報３を利用する場合には、利用者がキーボード等を使って情報を入力することが不可能であるから、専用の読み取り装置が普及していることが本発明を用いたシステム実現のための前提条件となっている。
【００３２】
以下では、非可読的形式の識別情報３としてバーコード情報３ｂを採用する場合を例にして説明する。
この場合には、本発明ストラップ１の購入者はインターネットに接続可能な携帯電話２や自己のコンピュータなどを使わないで追加的なサービスや特典を受けることが可能である。
【００３３】
すなわち、現実の店舗等で商品を購入する際の代金支払い手続時に使用するレジスター装置には殆どすべてバーコード情報の読み取り装置が付属しており、しかもＰＯＳシステムなどと連動することで商品売買に関連する各種情報を併せて提示等することも可能なシステムとなっているのが通常である。
【００３４】
つまり、本発明のストラップ１に表示したバーコード情報３ｂをレジスター装置に付属の専用読み取り装置によって読み取らせることで相応しい追加的サービスや特典をストラップ１の所持者に与え得ることが理解できるのである。
このような場合の１例を簡単に説明すると、（１）本発明のストラップ１の購入者は、自己の携帯電話２に該ストラップ１を取付けて、財布などと同様に身に着けて現実店舗において商品等を購入する、（２）現実店舗で購入した商品等についてレジスター装置により決済する際に携帯電話２に取付けられたストラップ１を示し、そのバーコード情報３ｂを読み取らせることで利用可能なサービスや特典を享受する、というものである。
【００３５】
既に特定メーカーの特定商品を購入するとその場で割引等のサービスを受けることができるということは、バーコード読み取り装置を備えたレジスター装置を用いた現実店舗での商品購入・決済処理において実現されており、本発明のように携帯電話２のストラップ１に表示したバーコード情報３ｂを利用して追加的サービスや特典を付与するというシステムが技術的に可能であることは容易に理解できるところである。
【００３６】
本発明のストラップ１を購入し所持していることに基づくこのような追加的サービスや特典の付与は、ストラップ１に採用するマスコットキャラクター５の形状デザインが特有なものであり、その種類も少ないものであれば識別情報３（バーコード情報３ｂ）による識別・照合処理などを経なくても、単に現実店舗の店員に示すだけで享受できるというシステムにすることもできる。
しかし、本発明のストラップ１は、購入者が自らの美感や趣味性を満足する物品として購入するものであり、そのデザインや種類を特定範囲のものに限定することは望ましくない。
【００３７】
また、現代社会において、携帯電話２は財布などと同様かそれ以上にあらゆる場所に所持して持ち歩く物品となっているので、これに取付けられたストラップ１を有効に活用して現実店舗における商品等売買の決済処理に付随したサービスや特典を享受させることは需要者にとって非常に便利なシステムであると理解される。
【００３８】
バーコード情報３ｂなどの非可読的形式による識別情報３を利用して現実店舗で付与するサービスや特典の内容や種類は、（ａ）で述べたような多様なものが採用可能であるし、それ以外にも特定の現実店舗やそのグループ店舗においてのみ有効なサービスや特典というような制限を加えることもできる。
【００３９】
また、識別情報３として非可読的形式のバーコード情報３ｂなどを採用する場合のサービスや特典の付与形態としては、以下のようなものも可能である。
すなわち、ＣＤショップなどに併置されている携帯電話２用の有料の着信メロディダウンロード装置において、該装置にバーコード情報３ｂの専用読み取り装置を付属せしめ、利用に際しては、所定箇所に携帯電話２を接続すると共にストラップ１に表示されたバーコード情報３ｂを読み取らせて適宜な着信メロディをダウンロードさせるものである。
【００４０】
この場合にも、ストラップ１の値段に着信メロディのダウンロード権を付加したものとして全体の値段設定をするものとして構わない。また、ダウンロード可能な着信メロディの種類や数に制限を付したり、ダウンロード可能な地域や期間に限定を施すといったことも当然に可能である。
【００４１】
また、バーコード情報３ｂの場合はその読み取り装置によって新たな情報書き込みをすることができないが、磁気情報データ３ｃをその専用読み取り装置と共に利用するのであれば、適宜なデータ書き込みを許容することで、回数や曲数に対する制限を容易に行なうことが可能である。
【００４２】
もちろん、携帯電話２や通常のコンピュータに非可読的形式の識別情報３を読み取る専用の装置が付属できるのであれば、これを利用して識別情報３を入力し、インターネット経由で各種サービスや特典を入手できるものとすることは何ら問題ない。また、非可読的形式の識別情報３を利用したサービスや特典の付与は現実店舗における商品等売買の決済処理に付随するものでなくても実現することは可能である（ストラップ１の所持者に無料で与えるサービスなど）。
【００４３】
図３には、上記した（ａ）及び（ｂ）の場合の本発明ストラップ１を利用したサービスや特典付与システムの概念図である。利用者が略常に持ち歩く携帯電話２に付属させるマスコットキャラクター形状を用いたストラップ１に表記の識別情報３を適切に利用することで、情報通信技術を利用したビジネス展開が使い易い態様で実現可能であることが理解される。
【００４４】
また、図４は本発明のストラップ１として採用し得るマスコットキャラクターの立体的形状についての若干例を示したものである。本発明のストラップ１は、識別情報３として可読的形式のものを採用するのでない場合は、バーコード情報３ａや磁気情報データ３ｃなどの非可読的形式の情報を専用の読み取り装置によって読み取らせるためにその表示部分を平面的に処理しなければならないが、それ以外の部分についてはマスコットキャラクターの立体形状について何らの制約もなく、様々なデザインを採用することが可能である。
【００４５】
【発明の効果】
以上説明したような本発明によるならば、携帯電話に当然のように付属させられているストラップに採用する立体的マスコット形状などを利用して固有の識別情報を表示せしめ、それを有効に活用して利用者にとって利便性の高いサービスや特典を付与する新しいシステムの構築に役立たせることが可能となり、携帯電話やコンピュータを利用したシステム、あるいは、現実店舗での商品等購入の決済処理に付随したシステムとして新規有用なものを構築できることになるので、各種サービスの提供や経済取引を活性化する手段として活用可能なものであり、工業的にその価値が高い発明である。
【図面の簡単な説明】
【図１】本発明のストラップを携帯電話に取付けた状態の１例を示した図面である。
【図２】本発明ストラップの識別情報表示部分を拡大表示した図面である。
【図３】本発明ストラップを利用して実現される新しいサービス・特典の提供システムの若干例を示した概念図である。
【図４】本発明ストラップに採用可能な立体的マスコットキャラクターの幾つかを示した説明図である。
【符号の説明】
１    本発明のストラップ
２  携帯電話
３  識別情報
３ａ  可読的な文字等情報
３ｂ  バーコード情報
３ｃ  磁気情報データ
４  文字等入力キー
５  立体的マスコットキャラクター
【図１】
2005000520.tif 000003
【図２】
2005000520.tif 000004
【図３】
2005000520.tif 000005
【図４】
2005000520.tif 000006